(57)【要約】【課題】  カセットケースの厚みが変わってもスライダのロックばねを共通に使用することができる磁気テープカセットを提供する。【解決手段】  上ハーフ１１と下ハーフ１２とを蓋合わせ状に結合して形成されたカセットケース内に回転可能に配され、磁気テープ２１を巻回した一対の巻取ハブ２２と、下ハーフ１２の底面に形成されたリール軸挿入孔１２ｂを開閉するため、該下ハーフ１２下側面に摺動可能に設けられたスライダ１４と、下ハーフ１２の底面に片支持で形成されたロック片１２ｄの先端部と嵌合するように、スライダ１４に形成された係合孔１４ｄと、ロック片１２ｄの先端部と上ハーフ１１の底面との間で、一端が上ハーフ１１の底面に設けられたリブ１１ｂに嵌め込まれ、他端がロック片１２ｄの先端部をスライダ１４の係合孔１４ｄ側へ付勢するロックばね２４とを備え、ロック片１２ｄの先端部に、ロックばね２４を支持するため上ハーフ１１側に突出するように形成されたばね支持部１２ｈが形成されている。【選択図】  図３
2005243144.tif 000002
【特許請求の範囲】
【請求項１】
上ハーフと下ハーフとを蓋合わせ状に結合して形成されたカセットケースと、
前記カセットケース内に回転可能に配され、磁気テープを巻回した一対の巻取ハブと、
前記下ハーフの底面に形成されたリール軸挿入孔を開閉するため、該下ハーフの下側面に摺動可能に設けられたスライダと、
前記下ハーフの底面に片支持で形成されたロック片と、
前記ロック片の先端部と嵌合するように、前記スライダに形成された係合孔と、
前記ロック片の前記先端部と前記上ハーフの底面との間で、一端が前記上ハーフの前記底面に設けられたリブに嵌め込まれ、他端が前記ロック片の前記先端部を前記スライダの係合孔側へ付勢するロックばねとを備え、
前記ロック片の前記先端部に、前記ロックばねを支持するため前記上ハーフ側に突出するように形成されたばね支持部が形成されていることを特徴とする磁気テープカセット。
【発明の詳細な説明】
【技術分野】
【０００１】
本発明は、磁気テープカセットに関し、特に、スライダのロックばねを支持する機構の改善に関する。
【背景技術】
【０００２】
ＤＤＳやＤＡＴ等の磁気テープカセットとして、下記特許文献１及び２に示すものが周知である。
【０００３】
図４は、従来の磁気テープカセットの構成の一例を示す分解斜視図である。図４に示すように、磁気テープカセット１００は、上ハーフ９０と下ハーフ９１とからなり、上ハーフ９０と下ハーフ９１との間に巻取ハブ９２に巻回された磁気テープ９３が収容される。上ハーフ９０の前面側には、カセット非使用時において磁気テープ９３を覆い保護する前蓋９４が支軸９４ａのまわりに回動可能に取り付けられている。また、下ハーフ９１の下側面には、ケース下側の解放部分をふさいで密閉性を高めるため、スライダ９５が前後方向に摺動可能に取り付けられている。
【０００４】
カセット非使用時に、巻取ハブ９２に巻回された磁気テープ９３が弛むのを防止するために、ブレーキ部材９７が上ハーフ９０に付設されている。ブレーキ部材９７は、制動片９７ａを巻取ハブ９２の上部に設けられた歯車９２ａに係合させることにより、巻取ハブ９２の回転を禁止し、磁気テープ９３の弛みを防止する。ブレーキ部材９７は、ブレーキばね９８によって、カセット非使用時において制動片９７ａを歯車９２ａに係合させる位置に付勢されている。ブレーキばね９８は、上ハーフ９０に設けられた突起９０ａに係止されている。
【０００５】
下ハーフ９１には、巻取ハブ９２に巻回された磁気テープ９３に沿って、ハの字状に湾曲した壁状の部材９１ａが設けられ、その上部に三角形状の板材９１ｂが取付けられている。この三角形状の板材９１ｂは、上記壁状の部材９１ａ及びケースの剛性を高め、図示しない上ハーフ９０のリブと合わせてケース内の密閉性を上げ防塵効果を向上させ、さらに前記ブレーキばね９８を下から支持して、はずれるのを防止する等の役割を有している。また、下ハーフ９１には、突起９１ｃが設けられ、スライダ９５を前方へ付勢する付勢手段であるねじりコイルばね９６が係止されている。さらに、スライダ９５には、ねじりコイルばね９６の付勢力を受けたり、ねじりコイルばね９６を挿入するリブ９５ａが立設されている。
【０００６】
スライダ９５には、係合孔９５ｂが左右にそれぞれ２つずつ設けられ、後で述べるように、下ハーフ９１に片支持に設けられたロック片９１ｄの自由端頭部がこの係合孔９５ｂに嵌入して、スライダ９５を２つの位置において係止するようになっている。ロック片９１ｄの自由端頭部（先端部）にはボス９１ｅが立設され、ロック片９１ｄを係合孔９５ｂ側へ付勢し、スライダ９５を確実にロックするためのロックばね（スライダロックばね）９９が取り付けられる。
【０００７】
図５は、図４に示す従来の磁気テープカセットの断面図を示している。スライダ９５はガイド挿入部等を開放する位置にあり、図５に示すように、ロック片９１ｄの先端部９１ｆに立設されたボス９１ｅに圧縮ばね９９が取り付けられ、ロックばね９９の一端は上ハーフ９０に設けられた円筒状のリブ９０ｂに嵌め込まれている。ロックばね９９は、上ハーフ９０によって上から押され、先端部９１ｆを、スライダ９５の係合孔９５ｂに確実に嵌入させるべく付勢している。
【０００８】
【特許文献１】特開平１１−３０６７１９号公報
【特許文献２】特開２０００−２３１７７２号公報
【発明の開示】
【発明が解決しようとする課題】
【０００９】
ところで、近年、磁気テープの改良に伴って、磁気テープの幅が大きくなることが予想されている。磁気テープカセットは、磁気テープの幅が大きくなった場合には、カセットケースの厚みが厚くする必要がある。具体的には、図５に示すように、磁気テープの幅が大きくなると、上ハーフ９０のリブ９０ｂにおけるロックばね９９の一端が接する面とロック片９１ｄにおけるロックばね９９の他端が接する面との距離Ｄが長くなるように構成する必要がある。
【００１０】
図６は、図５に示す従来の磁気テープカセットにおいて、上ハーフとロックばねとの距離が長くなった場合を説明する断面図である。図５及び図６に示すように、上ハーフ９０とロック片９１ｄとの距離Ｄが長くなり、例えば、図６に示すように距離Ｄ＋ｄとなった場合、ハーフ９０とロック片９１ｄとの間に図５の磁気テープカセットと同じロックばね９９を配置すると、上ハーフ９０とロック片９１ｄとの距離Ｄが長くなった分に応じてこのロックばね９９の圧縮方向における変位長さが小さくなる。すると、ロック片９１ｄがロックばね９９から受ける付勢力が小さくなり、ロック片９１ｄの先端部の先端部９１ｆがスライダ９５の係合孔９５ｂに嵌め込まれている際にかかる付勢力が弱くなり、スライダ９５のロックがはずれやすくなることが懸念される。
【００１１】
また、磁気テープの幅寸法を拡大する場合、ハーフ９０とロック片９１ｄとの間に配置されるロックばねの寸法を変えることも考えられるが、製造コストが増大することが避けられず、部品の共通化が図れないため生産管理が複雑になる点で改善の余地があった。
【００１２】
本発明は、このような事情に鑑みてなされたもので、その目的は、カセットケースの厚みが変わってもスライダのロックばねを共通に使用することができる磁気テープカセットを提供することにある。
【課題を解決するための手段】
【００１３】
本発明の上記目的は、上ハーフと下ハーフとを蓋合わせ状に結合して形成されたカセットケースと、カセットケース内に回転可能に配され、磁気テープを巻回した一対の巻取ハブと、下ハーフの底面に形成されたリール軸挿入孔を開閉するため、該下ハーフの下側面に摺動可能に設けられたスライダと、下ハーフの底面に片支持で形成されたロック片と、ロック片の先端部と嵌合するように、スライダに形成された係合孔と、ロック片の先端部と上ハーフの底面との間で、一端が上ハーフの底面に設けられたリブに嵌め込まれ、他端がロック片の先端部をスライダの係合孔側へ付勢するロックばねとを備え、ロック片の先端部に、ロックばねを支持するため上ハーフ側に突出するように形成されたばね支持部が形成されていることを特徴とする磁気テープカセットによって達成される。
【００１４】
上記磁気テープカセットは、ロック片の先端部に、ロックばねを支持するため上ハーフ側に突出するように形成されたばね支持部が形成され、ロックばねは、一端が上ハーフの底面に設けられたリブに嵌め込まれ、他端がロック片の先端部におけるばね支持部に当接する構成である。ここで、カセットケースの厚さが厚くなることでロック片の先端部と上ハーフの底面との間の距離が変わる場合に、該距離の変位に相当する量だけばね支持部における上ハーフ側に突出する寸法を調整すれば、上ハーフとロック片におけるばね支持部との距離が常に等しくなる。このため、ロック片の先端部と上ハーフの底面との間の距離にかかわらず、同じ寸法のロックばねを共通して使用することできるようになる。したがって、本発明に係る磁気テープカセットによれば、磁気テープの幅寸法を拡大する場合に、上ハーフとロック片との間に配置されるロックばねを変更する必要がなく、新たな部品設計による製造コストの増大を防止でき、部品の共通化が図ることで生産管理が有利になる。
【発明の効果】
【００１５】
本発明によれば、カセットケースの厚みが変わってもスライダのロックばねを共通に使用することができる磁気テープカセットを提供できる。
【発明を実施するための最良の形態】
【００１６】
以下、本発明の実施形態を図面に基づいて詳しく説明する。
図１は、本発明に係る磁気テープカセットの一実施形態を示す分解斜視図である。磁気テープカセット１０は、上ハーフ１１とを備え、これら上ハーフ１１と下ハーフ１２とを蓋合わせ状に結合して形成されたカセットケースを有している。
【００１７】
上ハーフ１１と下ハーフ１２とで構成されるカセットケース内には、一対の巻取ハブ２２に巻回され張架された磁気テープ２１が収容される。
【００１８】
上ハーフ１１には、カセット非使用時において、巻取ハブ２２が回転して磁気テープが弛まないように、ブレーキ部材１３が設けられている。ブレーキ部材１３は、２つの制動片１３ａを有し、この制動片１３ａが巻取ハブ２２に設けられた歯車２２ａと係合することによって巻取ハブ２２の回転を禁止するようになっている。カセット非使用時においては、ブレーキ部材１３は、制動片１３ａが歯車２２ａに係合するように、ねじりコイルばねを用いたブレーキばね１７によって付勢されている。ブレーキばね１７は、上ハーフ１１の内側面から突設された突起１１ａに係止されている。
【００１９】
上ハーフ１１には、カセット非使用時において、一対の巻取ハブ２２間に張架された磁気テープ２１を保護するため、該上ハーフ１１の前面側に支軸１５ａによって回動可能に支持された前蓋１５が設けられている。
【００２０】
下ハーフ１２の底面には、リール軸を挿入するためのリール軸挿入孔１２ｂが形成されている。
【００２１】
また、下ハーフ１２には、２つのリブを連続してハの字状に設けた前壁１２ａが立設されている。前壁１２ａによって三角形状に区切られた下ハーフ１２の底面における略中央部に垂直に柱状のリブ１２ｃが立設されている。この柱状のリブ１２ｃと前壁１２ａとの間にＶ字状の板ばね１６が挿入される。
【００２２】
さらに、下ハーフ１２には、前壁１２ａの左右両端部付近の底面に、片持ちに支持されたロック片１２ｄが設けられており、ロック片１２ｄの、支持されていない方の端部（先端部）には、ボス１２ｅが立設されている。ボス１２ｅにロック片１２ｄの先端部をスライダ側に付勢するロックばね２４が取付けられる。
【００２３】
スライダ１４の底板１４ａには、ロック片１２ｄの先端部と嵌合する係合孔１４ｄが左右２個ずつ設けられ、スライダ１４を２つの位置で係止可能となっている。また、板ばね１６の付勢力を受けるための壁状のリブ１４ｂが前方に立設されている。
【００２４】
スライダ１４は、磁気テープカセット１０が図示しない記録再生装置に装填されたときにはカセットケースの後方に移動され、また、カセット非使用時には、上記板ばね１６によってカセットケースの前方の位置に保持される構成である。
【００２５】
また、スライダ１４の底板１４ａには、２つの孔１４ｃが設けられている。２つの孔１４ｃは、スライダ１４がカセットケースの後方に位置するときには、下ハーフ１２のリール軸挿入孔１２ｂと一致するように形成されている。
【００２６】
図２は、図１に示す磁気テープカセットの矢印Ａで指す部位の要部拡大図である。図２に示すように、下ハーフ１２には、前壁１２ａの端部を該下ハーフ１２の前方へ上面視において略Ｌ字状に折り曲げてなる前壁端部１２ｆが形成されている。前壁端部１２ｆは、その折り曲げられた部位が、ロック片１２ｄの先端部に設けられたボス１２ｅに取り付けられるロックばね２４を囲うように前方へ延ばされている。
【００２７】
前壁端部１２ｆの折り曲げられた部位における、ボス１２ｅ側の面と対向する位置に、該ボス１２ｅを挟んで、壁状のリブ１２ｇが下ハーフ１２の底面から立設されている。
【００２８】
本実施形態の磁気テープカセット１０において、ボス１２ｅにおける基端部には円柱状のばね支持部１２ｈが、ロック片１２ｄの先端部から上ハーフ側（図２において上方）に突出するように形成されている。ばね支持部１２ｈの上面周縁は、ロックばね２４の端部と適切に当接するようにロックばね２４のばねの径よりも大きい径を有するように形成されている。
【００２９】
次に、図３を参照して、本実施形態の磁気テープカセットの作用について説明する。図３は、図１に示す磁気テープカセットを組み立てた状態における要部断面図である。
図３に示すように、ロック片１２ｄの先端部に、ロックばね２４の下端を支持するため上ハーフ側に突出するように形成されたばね支持部１２ｈが形成されている。ロックばね２４は、上端が上ハーフ１１の底面に設けられたリブ１１ｂに嵌め込まれ、下端がロック片１２ｄの先端部におけるばね支持部１２ｈに当接する構成である。
【００３０】
ここで、カセットケースの厚さが厚くなることでロック片１２ｄの先端部と上ハーフ１１の底面との間の距離が変わる場合を考える。このとき、ロック片１２ｄの先端部と上ハーフ１１の底面との間の距離が距離Ｄから変位長さｄだけ長くなり、距離Ｄ＋ｄとなったとする。ここで、本実施形態の磁気テープカセットにおいて、距離の変位長さｄに相当する所定の値だけばね支持部１２ｈにおける上ハーフ側に突出する寸法を調整するため、ばね支持部１２ｈをロック片１２ｄから上ハーフ１１側への突出量（以下、ばね支持部の高さｈとする。）が所定の値になるように形成する。なお、本実施形態において、ばね支持部の高さｈを変位長さｄと同じに設定した。こうすれば、ロック片１２ｄの先端部と上ハーフ１１の底面との間の距離Ｄ＋ｄにかかわらず、上ハーフ１１とロック片１２ｄのばね支持部１２ｈとの間の距離が常に等しくなるため、カセットケースの厚さが厚くする前後で、同じ寸法のロックばね２４を共通して使用することできるようになる。
【００３１】
したがって、本発明に係る磁気テープカセットによれば、磁気テープの幅寸法を拡大する場合に、上ハーフ１１とロック片１２ｄとの間に配置されるロックばね２４を変更する必要がなく、新たな部品設計による製造コストの増大を防止でき、部品の共通化が図ることで生産管理が有利になる。
【図面の簡単な説明】
【００３２】
【図１】本発明に係る磁気テープカセットの分解斜視図である。
【図２】図１に示す磁気テープカセットの矢印Ａで指す部位の要部拡大図である。
【図３】図１に示す磁気テープカセットを組み立てた状態における要部断面図である。
【図４】従来の磁気テープカセットの構成の一例を示す分解斜視図である。
【図５】図４に示す従来の磁気テープカセットの断面図である。
【図６】図５に示す従来の磁気テープカセットにおいて、上ハーフとロックばねとの距離が長くなった場合を説明する断面図である。
【符号の説明】
【００３３】
１０      磁気テープカセット
１１      上ハーフ
１２      下ハーフ
１２ｄ    ロック片
１２ｅ    リブ
１２ｈ    ばね支持部
２４      ロックばね
【図１】
2005243144.tif 000003
【図２】
2005243144.tif 000004
【図３】
2005243144.tif 000005
【図４】
2005243144.tif 000006
【図５】
2005243144.tif 000007
【図６】
2005243144.tif 000008